(57)【要約】【課題】本発明は、現場において、複数の木質床版の上面を耐火被覆する際の施工性を向上することを目的とする。【解決手段】床施工方法は、木質床版２２と、少なくとも端部２２Ｅを残して木質床版２２の上面２２Ｕ２を被覆する第一セメント系耐火被覆材５０と、を有する床部材２０を、端部２２Ｅ同士を隣り合わせて複数設置する床部材設置工程と、隣り合う第一セメント系耐火被覆材５０の間に第二セメント系耐火被覆材６０を流し、隣り合う端部２２Ｅ同士の上面２２Ｕ１を第二セメント系耐火被覆材６０によって耐火被覆する耐火被覆工程と、を有する。【選択図】図２
2020169463.tif 000002
【特許請求の範囲】
【請求項１】
木質床版と、少なくとも端部を残して前記木質床版の上面を被覆する第一耐火被覆材と、を有する床部材を、前記端部同士を隣り合わせて複数設置する床部材設置工程と、
隣り合う前記第一耐火被覆材の間に第二耐火被覆材を流し、隣り合う前記端部同士の上面を前記第二耐火被覆材によって耐火被覆する耐火被覆工程と、
を有する床施工方法。
【請求項２】
前記耐火被覆工程では、隣り合う前記端部同士の上面を接合部材で接合した後に、該上面を前記第二耐火被覆材で耐火被覆する、
請求項１に記載の床施工方法。
【請求項３】
前記木質床版には、前記木質床版の面内方向に前記第一耐火被覆材と係合するずれ止め部が設けられる、
請求項１又は請求項２に記載の床施工方法。
【請求項４】
第一耐火被覆材及び前記第二耐火被覆材は、セルフレベリング材とされる、
請求項１〜請求項３の何れか１項に記載の床施工方法。
【発明の詳細な説明】
【技術分野】
【０００１】
本発明は、床施工方法に関する。
【背景技術】
【０００２】
プレキャストコンクリート板や仕上げ等によって、上面が耐火被覆された木質床版が知られている（例えば、特許文献１，２参照）。
【先行技術文献】
【特許文献】
【０００３】
【特許文献１】特開２０１７−０７８３０７号公報
【特許文献２】特開２０１７−０２５５２４号公報
【発明の概要】
【発明が解決しようとする課題】
【０００４】
ところで、現場において、複数の木質床版の上面にセルフレベリング材やコンクリート等を流し、これらのセルフレベリング材やコンクリート等によって木質床版の上面を耐火被覆することが考えられる。
【０００５】
しかしながら、上記の場合、型枠の仮設や撤去が必要となるため、施工に手間がかかる可能性がある。
【０００６】
本発明は、上記の事実を考慮し、現場において、複数の木質床版の上面を耐火被覆する際の施工性を向上することを目的とする。
【課題を解決するための手段】
【０００７】
請求項１に記載の床施工方法は、木質床版と、少なくとも端部を残して前記木質床版の上面を被覆する第一耐火被覆材と、を有する床部材を、前記端部同士を隣り合わせて複数設置する床部材設置工程と、隣り合う前記第一耐火被覆材の間に第二耐火被覆材を流し、隣り合う前記端部同士の上面を前記第二耐火被覆材によって耐火被覆する耐火被覆工程と、を有する。
【０００８】
請求項１に係る床施工方法によれば、床部材設置工程と、耐火被覆工程とを備える。床部材設置工程では、木質床版と、少なくとも端部を残して木質床版の上面を被覆する第一耐火被覆材と、を有する床部材を、端部同士を隣り合わせて複数設置する。
【０００９】
耐火被覆工程では、隣り合う第一耐火被覆材の間に第二耐火被覆材を流し、隣り合う端部同士の上面を第二耐火被覆材によって耐火被覆する。この際、第一耐火被覆材が、第二耐火被覆材の型枠として機能する。そのため、型枠の仮設や撤去作業が低減される。したがって、施工性が向上する。
【００１０】
請求項２に記載の床施工方法は、請求項１に記載の床施工方法において、前記耐火被覆工程では、隣り合う前記端部同士の上面を接合部材で接合した後に、該上面を前記第二耐火被覆材で耐火被覆する。
【００１１】
請求項２に係る床施工方法によれば、耐火被覆工程では、隣り合う木質床版の端部同士の上面を接合部材で接合した後に、これらの上面に第二耐火被覆材を流して耐火被覆する。これにより、隣り合う木質床版の端部の上面、及び接合部材が第二耐火被覆材によって耐火被覆される。したがって、床部材の耐火性能が向上する。
【００１２】
請求項３に記載の床施工方法は、請求項１又は請求項２に記載の床施工方法において、前記木質床版には、前記木質床版の面内方向に前記第一耐火被覆材と係合するずれ止め部が設けられる。
【００１３】
請求項３に係る床施工方法によれば、木質床版には、ずれ止め部が設けられる。ずれ止め部は、木質床版の面内方向に、第一耐火被覆材と係合する。これにより、木質床版に対する第一耐火被覆材のずれが抑制される。
【００１４】
請求項４に記載の床施工方法は、請求項１〜請求項３の何れか１項に記載の床施工方法において、第一耐火被覆材及び前記第二耐火被覆材は、セルフレベリング材とされる。
【００１５】
請求項４に係る床施工方法によれば、第一耐火被覆材及び第二耐火被覆材は、セルフレベリング材とされる。
【００１６】
ここで、セルフレベリング材は、流動性が高い。そのため、木質床版の上面に第一耐火被覆材及び第二耐火被覆材としてのセルフレベリング材を流すことにより、平滑面を容易に形成することができる。したがって、第一耐火被覆材及び第二耐火被覆材の施工性が向上する。
【発明の効果】
【００１７】
以上説明したように、本発明に係る床施工方法によれば、現場において、複数の木質床版の上面を耐火被覆する際の施工性を向上することができる。
【図面の簡単な説明】
【００１８】
【図１】一実施形態に係る床施工方法によって施工された床を示す平面図である。
【図２】図１の２−２線断面図である。
【図３】隣り合う木質床版の端部同士を接合板を介して接合する前の状態を示す図２に対応する断面図である。
【図４】図３に示される床部材を斜め上側から見た斜視図である。
【図５】一実施形態に係る床施工方法の変形例が適用された床部材を示す縦断面図である。
【図６】一実施形態に係る床施工方法の変形例が適用された床部材を示す縦断面図である。
【図７】一実施形態に係る床施工方法の変形例が適用された床部材を示す縦断面図である。
【発明を実施するための形態】
【００１９】
以下、図面を参照しながら、一実施形態に係る床施工方法について説明する。
【００２０】
図１には、本実施形態に係る床施工方法によって施工された床１０が示されている。床１０は、一対の梁１２に架設されている。一対の梁１２は、所定方向に互いに対向して配置されている。なお、一対の梁１２は、木造や、鉄骨造、鉄筋コンクリート造、鉄骨鉄筋コンクリート造とされる。
【００２１】
床１０は、複数の床部材２０と、隣り合う床部材２０の端部同士を接合する接合板４０と、隣り合う床部材２０の端部同士、及び接合板４０を耐火被覆する第二セメント系耐火被覆材６０とを備えている。
【００２２】
なお、第一セメント系耐火被覆材５０は、第一耐火被覆材の一例であり、第二セメント系耐火被覆材６０は、第二耐火被覆材の一例である。
【００２３】
床部材２０は、木質床版２２と、第一セメント系耐火被覆材５０とを有している。木質床版２２は、例えば、ＣＬＴ（Cross Laminated Timber）や、ＬＶＬ（Laminated Veneer Lumber）、集成材、合板、無垢材等の木質面材によって形成されている。
【００２４】
また、木質床版２２は、平面視にて、矩形状に形成されている。この木質床版２２は、一対の梁１２に架設されている。より具体的には、木質床版２２は、その長手方向を一対の梁１２の対向方向として配置されており、長手方向の両端部が一対の梁１２の上に載置された状態で接合されている。
【００２５】
複数の木質床版２２は、各々の短手方向に隣り合って配置されている。換言すると、複数の木質床版２２は、一対の梁１２の長手方向に隣り合って配置されている。隣り合う木質床版２２の端部２２Ｅ同士は、接合板４０を介してスプライン接合されている。
【００２６】
具体的には、図２及び図３に示されるように、隣り合う木質床版２２の端部（接合端部）２２Ｅの上面２２Ｕ１には、溝部３０が形成されている。溝部３０は、隣り合う木質床版２２の端部２２Ｅに亘って形成されている。また、溝部３０は、木質床版２２の上面２２Ｕ１を開口する断面Ｕ字形状（断面Ｃ字形状）に形成されている。この溝部３０は、底面３０Ｌと、一対の内側面３０Ｓとを有している。また、溝部３０は、木質床版２２の端部２２Ｅの一端側から他端側に亘っている。
【００２７】
溝部３０は、隣り合う木質床版２２の端部２２Ｅに形成された切欠き部３２を組み合わせることにより形成されている。図４に示されるように、切欠き部３２は、各木質床版２２の端部２２Ｅに沿って形成されている。また、切欠き部３２は、木質床版２２の上面２２Ｕ１及び端面２２Ｔを開口する断面Ｌ字形状に形成されている。
【００２８】
図２に示されるように、溝部３０には、接合板４０が嵌め込まれている。接合板４０は、木質床版２２と同様に、ＣＬＴや、ＬＶＬ、集成材、合板、無垢材等の木質面材によって形成されている。また、接合板４０は、溝部３０に沿った長方形状に形成されている。この接合板４０の幅は、溝部３０の溝幅と略同じとされている。これにより、溝部３０に接合板４０が嵌め込まれている。
【００２９】
接合板４０の厚みは、溝部３０の深さと略同じとされている。これにより、溝部３０に接合板４０を嵌め込んだ状態で、接合板４０の上面４０Ｕと木質床版２２の上面２２Ｕ１とが略面一となる。また、接合板４０は、隣り合う木質床版２２の端部２２Ｅにビス４２によってそれぞれ固定されている。ビス４２は、接合板４０の長手方向に間隔を空けて複数設けられている。この接合板４０を介して、隣り合う木質床版２２の端部２２Ｅ同士がせん断力を伝達可能に接合されている。
【００３０】
なお、接合板４０は、ビス４２に限らず、接着剤等によって木質床版２２に接合されても良い。また、接合板４０の上面４０Ｕは、木質床版２２の上面２２Ｕ１と略面一に限らず、木質床版２２の上面２２Ｕ１の上側又は下側に配置されても良い。また、接合板４０は、接合部材の一例である。
【００３１】
図３に示されるように、木質床版２２の上面２２Ｕは、端部２２Ｅを残して第一セメント系耐火被覆材５０によって耐火被覆されている。換言すると、木質床版２２の端部２２Ｅ以外の上面２２Ｕ２は、第一セメント系耐火被覆材５０によって耐火被覆されている。
【００３２】
第一セメント系耐火被覆材５０は、セメントを含有するセルフレベリング材や、コンクリート、グラウト、モルタル等によって形成されている。この第一セメント系耐火被覆材５０は、例えば、工場等において木質床版２２の上面２２Ｕ２に一体に設けられている。
【００３３】
具体的には、先ず、木質床版２２の上面２２Ｕ２を取り囲む図示しない型枠を仮設する。次に、型枠内に、硬化前のセルフレベリング材等を流し込み、硬化させる。その後、型枠を撤去する。これにより、木質床版２２の上面２２Ｕ２を耐火被覆する第一セメント系耐火被覆材５０が形成される。
【００３４】
なお、木質床版２２とは別に、板状に硬化させた第一セメント系耐火被覆材５０を形成し、この第一セメント系耐火被覆材５０を木質床版２２の上面２２Ｕ２に重ねた状態で接着剤等によって接合しても良い。
【００３５】
図２に示されるように、隣り合う木質床版２２の端部２２Ｅ同士、及び接合板４０は、第二セメント系耐火被覆材６０によって耐火被覆されている。第二セメント系耐火被覆材６０は、第一セメント系耐火被覆材５０と同様に、セメントを含有するセルフレベリング材や、コンクリート、グラウト、モルタル等によって形成されている。
【００３６】
第二セメント系耐火被覆材６０は、隣り合う第一セメント系耐火被覆材５０の端面５０Ｔ間に、硬化前のセフルレベリング材等を流し込み、硬化させることにより形成されている。この際、隣り合う第一セメント系耐火被覆材５０の長手方向両端側の開口は、図示しない型枠等によって適宜塞いでおく。
【００３７】
なお、本実施形態では、第二セメント系耐火被覆材６０と第一セメント系耐火被覆材５０とが同種のセメント系耐火被覆材によって形成されている。しかしながら、第二セメント系耐火被覆材６０と第一セメント系耐火被覆材５０とは、異なるセメント系耐火被覆材によって形成されても良い。
【００３８】
（床施工方法）
次に、本実施形態に係る床施工方法の一例について説明する。
【００３９】
（床部材設置工程）
先ず、床部材設置工程について説明する。床部材設置工程では、複数の床部材２０を一対の梁１２（図１参照）にそれぞれ架設するとともに、一対の梁１２の長手方向に隙間なく並べる。そして、複数の床部材２０を、一対の梁１２の長手方向に隣り合わせた状態で設置する。
【００４０】
より具体的には、図３に示されるように、木質床版２２の端部２２Ｅ同士を隣り合わせた状態で、複数の床部材２０を設置する。そして、隣り合う木質床版２２の端面２２Ｔ同士を接触させる。この際、隣り合う木質床版２２の端部２２Ｅに形成された切欠き部３２を組み合わせ、溝部３０を形成する。
【００４１】
（耐火被覆工程）
次に、耐火被覆工程について説明する。耐火被覆工程では、先ず、隣り合う木質床版２２の端部２２Ｅ同士を、接合板４０を介して接合する。具体的には、隣り合う木質床版２２の端部２２Ｅに亘って形成された溝部３０に接合板４０を嵌め込む。この状態で、複数のビス４２によって、隣り合う木質床版２２の端部２２Ｅに接合板４０をそれぞれ固定する。これにより、隣り合う木質床版２２の端部２２Ｅ同士が、接合板４０を介して接合される。
【００４２】
次に、隣り合う第一セメント系耐火被覆材５０の端面５０Ｔ間に、硬化前の第二セメント系耐火被覆材６０を流し、硬化させる。この際、隣り合う第一セメント系耐火被覆材５０の長手方向両端側の開口は、図示しない型枠等によって適宜塞いでおく。これにより、第二セメント系耐火被覆材６０によって、隣り合う木質床版２２の端部２２Ｅの上面２２Ｕ１、及び接合板４０の上面４０Ｕが耐火被覆される。
【００４３】
（効果）
次に、本実施形態の効果について説明する。
【００４４】
前述したように、本実施形態に係る床施工方法によれば、床部材設置工程と、耐火被覆工程とを備えている。床部材設置工程では、複数の床部材２０を、各々の木質床版２２の端部２２Ｅ同士を隣り合わせた状態で設置する。
【００４５】
次に、耐火被覆工程では、隣り合う木質床版２２の端部２２Ｅ同士の上面２２Ｕ１を、接合板４０を介して接合する。この状態で、隣り合う第一セメント系耐火被覆材５０の端面５０Ｔ間に、硬化前の第二セメント系耐火被覆材６０を流し、硬化させる。これにより、隣り合う木質床版２２の端部２２Ｅ同士の上面２２Ｕ１、及び接合板４０の上面４０Ｕが、第二セメント系耐火被覆材６０によって耐火被覆される。
【００４６】
ここで、本実施形態では、木質床版２２の端部２２Ｅ以外の上面２２Ｕ２が、工場等において、第一セメント系耐火被覆材５０によって予め耐火被覆されている。これにより、現場における第二セメント系耐火被覆材６０の施工範囲が狭くなる。したがって、第二セメント系耐火被覆材６０の施工性が向上する。
【００４７】
また、第一セメント系耐火被覆材５０は、第二セメント系耐火被覆材６０の型枠として機能する。そのため、第二セメント系耐火被覆材６０用の型枠の仮設や撤去作業が低減される。したがって、第二セメント系耐火被覆材６０の施工性がさらに向上する。
【００４８】
このように本実施形態に係る床施工方法によれば、現場において、複数の木質床版２２の上面２２Ｕ（上面２２Ｕ１）を耐火被覆する際の施工性を向上することができる。
【００４９】
また、現場において、隣り合う木質床版２２の端部２２Ｅ同士の上面２２Ｕ１を第二セメント系耐火被覆材６０によって耐火被覆することにより、隣り合う木質床版２２の端部２２Ｅの隙間（目地）を第二セメント系耐火被覆材６０によって塞ぐことができる。したがって、木質床版２２の耐火性能が向上する。
【００５０】
さらに、木質床版２２の上面２２Ｕ（上面２２Ｕ２）には、工場等において、端部２２Ｅを残して第一セメント系耐火被覆材５０が設けられている。そのため、現場において、隣り合う木質床版２２の端部２２Ｅ同士の上面２２Ｕ１を、接合板４０を介して接合することができる。また、接合板４０の上面４０Ｕを第二セメント系耐火被覆材６０によって耐火被覆することができる。したがって、木質床版２２の耐火性能がさらに向上する。
【００５１】
しかも、第二セメント系耐火被覆材６０にセルフレベリング材を用いることにより、第二セメント系耐火被覆材６０の施工性が向上する。具体的には、セルフレベリング材は、流動性が高い。そのため、第二セメント系耐火被覆材６０にセルフレベリング材を用いることにより、現場において、平滑面を容易に形成することができる。したがって、第二セメント系耐火被覆材６０の施工性が向上する。
【００５２】
また、第一セメント系耐火被覆材５０にセルフレベリング材を用いることにより、床部材２０の製造性も向上する。さらに、第一セメント系耐火被覆材５０及び第二セメント系耐火被覆材６０に同種のセメント系耐火被覆材を用いることにより、第一セメント系耐火被覆材５０及び第二セメント系耐火被覆材６０の一体性及び意匠性を高めることができる。
【００５３】
（変形例）
次に、上記実施形態の変形例について説明する。
【００５４】
図５に示される変形例では、木質床版２２に、ずれ止め部としての複数のビス７０が設けられている。複数のビス７０は、第一セメント系耐火被覆材５０の上から木質床版２２に打ち込まれている。これらのビス７０によって、第一セメント系耐火被覆材５０が、木質床版２２の上面２２Ｕ２に固定されている。また、複数のビス７０は、木質床版２２の面内方向に第一セメント系耐火被覆材５０と係合する。これにより、木質床版２２に対する第一セメント系耐火被覆材５０のずれが抑制される。
【００５５】
次に、図６に示される変形例では、木質床版２２の上面２２Ｕ２に、ずれ止め部としての複数の凹部８０が形成されている。複数の凹部８０は、木質床版２２の上面２２Ｕ２を開口する断面Ｕ字形状（断面Ｃ字形状）に形成されている。また、複数の凹部８０は、木質床版２２の所定方向に延びる溝状に形成されている。このように複数の凹部８０に形成された木質床版２２の上面２２Ｕ２に、第一セメント系耐火被覆材５０が設けられている。
【００５６】
第一セメント系耐火被覆材５０は、例えば、木質床版２２の上面２２Ｕ２に硬化前のセメント系耐火被覆材を流し込み、硬化させることにより形成されている。この第一セメント系耐火被覆材５０の下面には、複数の凹部８０に嵌め込まれる複数の凸部８２が形成されている。これらの凸部８２と複数の凹部８０とは、木質床版２２の面内方向に係合されている。これにより、木質床版２２に対する第一セメント系耐火被覆材５０のずれが抑制される。
【００５７】
次に、図７に示される変形例では、木質床版２２の上面２２Ｕ２に、コンクリート９０を介して第一セメント系耐火被覆材５０が設けられている。換言すると、木質床版２２の上面２２Ｕ２には、コンクリート９０及び第一セメント系耐火被覆材５０が積層されている。これにより、木質床版２２の耐火性能が高められる。さらに、コンクリート９０によって木質床版２２の重量が大きくなる。この結果、木質床版２２の振動が低減される。
【００５８】
なお、図７に示される変形例では、木質床版２２の上にコンクリート９０を介して第一セメント系耐火被覆材５０が設けられている。しかしながら、木質床版２２の上には、第一セメント系耐火被覆材５０を介してコンクリート９０が設けられても良い。
【００５９】
また、上記実施形態では、隣り合う木質床版２２の端部２２Ｅ同士の上面２２Ｕ１が接合板４０を介して接合されている。しかしながら、隣り合う木質床版２２の端部２２Ｅ同士の下面や側面（側端面）を、接合板４０等の接合部材を介して接合しても良い。
【００６０】
また、上記実施形態では、接合部材が接合板４０とされている。しかしながら、接合部材は、例えば、接合金物や接着剤等とされても良い。さらに、隣り合う木質床版２２の端部２２Ｅ同士は、必ずしも接合する必要はない。
【００６１】
また、上記実施形態では、複数の木質床版２２が短手方向に隣り合って設置されている。しかしながら、複数の木質床版２２は、長手方向に隣り合って設置されても良い。この場合、木質床版２２の上面は、例えば、木質床版２２の長手方向の端部を残して、第一セメント系耐火被覆材５０によって耐火被覆される。
【００６２】
また、複数の木質床版２２は、短手方向及び長手方向に隣り合って設置されても良い。この場合、木質床版２２の上面は、例えば、木質床版２２の短手方向の端部、及び長手方向の端部を残して、第一セメント系耐火被覆材５０によって耐火被覆される。
【００６３】
また、上記実施形態では、木質床版２２の上面２２Ｕ２が、全面に亘って第一セメント系耐火被覆材５０によって耐火被覆されている。しかしながら、木質床版２２の上面２２Ｕ２には、第一セメント系耐火被覆材５０によって部分的に耐火被覆されない領域があっても良い。
【００６４】
また、上記実施形態では、第一耐火被覆材が、第一セメント系耐火被覆材５０とされている。しかしながら、第一耐火被覆材は、例えば、石こうボードやけい酸カルシウムボード等の耐火ボードであっても良い。
【００６５】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００６６】
２０      床部材
２２      木質床版
２２Ｅ    端部（隣り合う木質床版の端部）
２２Ｕ    上面（木質床版の上面）
２２Ｕ１  上面（隣り合う木質床版の端部同士の上面）
４０      接合板（接合部材）
５０      第一セメント系耐火被覆材（第一系耐火被覆材）
６０      第二セメント系耐火被覆材（第二系耐火被覆材）
７０      ビス（ずれ止め部）
８０      凹部（ずれ止め部）
【図１】
2020169463.tif 000003
【図２】
2020169463.tif 000004
【図３】
2020169463.tif 000005
【図４】
2020169463.tif 000006
【図５】
2020169463.tif 000007
【図６】
2020169463.tif 000008
【図７】
2020169463.tif 000009